(57)【特許請求の範囲】
【請求項１】
側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させてなり、前記廃棄物処分場は、拡散によって環境に悪影響を及ぼす可能性のある物質を埋立空間に埋め立てるとともに該物質を前記遮水構造で周辺地盤と離隔させてなる杭基礎構築方法であって、前記流動性固化材を注入する際、該流動性固化材が前記杭と前記遮水構造との間に生じている間隙に充填されるように前記流動性固化材を注入することを特徴とする廃棄物処分場における杭基礎構築方法。
【請求項２】
側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させる杭基礎構築方法であって、前記杭を打ち込んだ後、所定の充填材をその天端高さが前記遮水構造の高さ位置よりも下方となるように前記注入口から充填し、しかる後に前記流動性固化材を注入することを特徴とする廃棄物処分場における杭基礎構築方法。
【請求項３】
前記充填材を充填した後、注入用配管及び注入確認用配管が貫通接続された仕切り体をその設置高さが前記遮水構造の高さ位置よりも上方となるように前記杭内に挿入設置し、前記流動性固化材を、該流動性固化材が前記注入確認用配管から溢れ出るまで前記注入用配管を介して前記充填材の天端と前記仕切り体とに挟まれた前記杭内の注入空間に注入する請求項２記載の廃棄物処分場における杭基礎構築方法。
【請求項４】
前記仕切り体の下面に前記注入空間の高さに相当する長さを有する位置決め用ロッドを垂設した請求項３記載の廃棄物処分場における杭基礎構築方法。
【請求項５】
前記流動性固化材が固化する前に所定の空間占有体を前記固化材吐出孔との非接触状態が保持されるように前記杭の内部に配置する請求項２又は請求項３記載の廃棄物処分場における杭基礎構築方法。
【請求項６】
前記流動性固化材を注入した後、前記杭の内部に注水する請求項２乃至請求項５のいずれか一記載の廃棄物処分場における杭基礎構築方法。
【請求項７】
側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させる杭基礎構築方法であって、前記流動性固化材を注入した後、前記杭の内部に注水することを特徴とする廃棄物処分場における杭基礎構築方法。
【発明の詳細な説明】
【０００１】
【発明の属する技術分野】
本発明は、主として廃棄物処分場の跡地に新設構造物を建設する際の杭基礎構築方法に関する。
【０００２】
【従来の技術】
産業廃棄物や一般廃棄物を埋立処分する廃棄物処分場においては、貯留された廃棄物から滲出した汚染水が、地下水等の環境に拡散することがないように遮水工を施すことが必要になる。
【０００３】
かかる遮水工としては、地盤中に自然に存在する不透水性地層や難透水性地層をそのまま利用することもあるが、立地に適した場所を確保することが困難なことに鑑み、軟質合成樹脂、ゴム等で形成された遮水性シートを敷設してこれを遮水構造とすることもある。
【０００４】
一方、このような廃棄物処分場での埋立が完了した後は、その跡地が様々な用途に有効利用されることが望ましい。
【０００５】
【発明が解決しようとする課題】
ここで、廃棄物処分場の跡地利用として新設の構造物を構築する際、跡地の地盤強度が不足していることがあるが、かかる場合には、構造物の基礎として杭基礎を採用することが必要となる。
【０００６】
しかしながら、かかる杭が廃棄物処分場の遮水構造を貫通するように打ち込まれ、それが原因で該遮水構造と杭との間に間隙が生ずるような状況においては、該間隙から廃棄物処分場内の滲出水が外部に漏洩し、これが周辺地盤に拡散して環境を汚染する懸念が生ずるという問題を生じていた。
【０００７】
そのため、廃棄物処分場の跡地に構造物を建設する際は、杭を用いない構造物に限られる等、構造物に対する制限を余儀なくされていた。
【０００８】
本発明は、上述した事情を考慮してなされたもので、汚染物質が周辺環境に拡散するのを防止しつつ杭を構築することが可能な廃棄物処分場における杭基礎構築方法を提供することを目的とする。
【０００９】
【課題を解決するための手段】
上記目的を達成するため、本発明に係る廃棄物処分場における杭基礎構築方法は請求項１に記載したように、側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させてなり、前記廃棄物処分場は、拡散によって環境に悪影響を及ぼす可能性のある物質を埋立空間に埋め立てるとともに該物質を前記遮水構造で周辺地盤と離隔させてなる杭基礎構築方法であって、前記流動性固化材を注入する際、該流動性固化材が前記杭と前記遮水構造との間に生じている間隙に充填されるように前記流動性固化材を注入するものである。
【００１０】
また、本発明に係る廃棄物処分場における杭基礎構築方法は請求項２に記載したように、側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させる杭基礎構築方法であって、前記杭を打ち込んだ後、所定の充填材をその天端高さが前記遮水構造の高さ位置よりも下方となるように前記注入口から充填し、しかる後に前記流動性固化材を注入するものである。
【００１１】
また、本発明に係る廃棄物処分場における杭基礎構築方法は、前記充填材を充填した後、注入用配管及び注入確認用配管が貫通接続された仕切り体をその設置高さが前記遮水構造の高さ位置よりも上方となるように前記杭内に挿入設置し、前記流動性固化材を、該流動性固化材が前記注入確認用配管から溢れ出るまで前記注入用配管を介して前記充填材の天端と前記仕切り体とに挟まれた前記杭内の注入空間に注入するものである。
【００１２】
また、本発明に係る廃棄物処分場における杭基礎構築方法は、前記仕切り体の下面に前記注入空間の高さに相当する長さを有する位置決め用ロッドを垂設したものである。
【００１３】
また、本発明に係る廃棄物処分場における杭基礎構築方法は、前記流動性固化材が固化する前に所定の空間占有体を前記固化材吐出孔との非接触状態が保持されるように前記杭の内部に配置するものである。
【００１４】
また、本発明に係る廃棄物処分場における杭基礎構築方法は、前記流動性固化材を注入した後、前記杭の内部に注水するものである。
また、本発明に係る廃棄物処分場における杭基礎構築方法は請求項７に記載したように、側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させる杭基礎構築方法であって、前記流動性固化材を注入した後、前記杭の内部に注水するものである。
【００１５】
本発明に係る廃棄物処分場における杭基礎構築方法においては、側方に固化材吐出孔が形成された中空管からなる杭を該杭が廃棄物処分場の底面に設けられた遮水構造を貫通するように前記廃棄物処分場に打ち込み、前記杭の地上側端部に設けられた注入口から所定の流動性固化材を注入して前記固化材吐出孔から吐出させる。
【００１６】
このようにすると、中空管の地上側端部に設けられた注入口から注入された流動性固化材は、その自重と流動性により、固化材吐出孔を通過して杭の周囲に吐出される。そして、かかる流動性固化材は、杭を打ち込む際に生じた遮水構造との間の間隙に充填され、やがて該間隙内で硬化し、これを塞ぐ。
【００１７】
廃棄物処分場とは、拡散によって環境に悪影響を及ぼす可能性のある物質を遮水構造で周辺地盤と離隔させてなる施設をいうものとし、一般的に産業廃棄物処分場と称されるもののみならず、汚染土壌を封じ込めた施設も含む。
【００１８】
遮水構造は、廃棄物処分場内の埋設空間を所定の水密性をもって周辺の地盤と隔てる機能を有するものであり、天然に存在する難透水性地層や不透水性地層をはじめ、人工的に敷設した遮水性シートなどが含まれる。
【００１９】
杭として用いる中空管は、中空空間を有している限り、その形状や材質は任意であり、杭の先端を開放とするか閉塞とするかも問わないが、主として円形鋼管を用いることが考えられる。
【００２０】
注入口は、中空管自体の端部開口を注入口としてもよいし、中空管の側方に開口を別途設けてこれを注入口としてもよい。
【００２１】
流動性固化材は、セメントミルク、モルタル、ベントナイト等、その他流動性を有しなおかつ固化することによって止水性を発揮するものであればどのような材料でもよい。
【００２２】
固化材吐出孔は、数ｍｍ乃至数ｃｍ程度の円形孔が考えられるが、流動性固化材の必要吐出量や流動性等を考慮して適宜大きさ、個数等を決めればよい。また、固化材吐出孔は、該固化材吐出孔から吐出された流動性固化材が廃棄物処分場の遮水構造と杭との間に生じている間隙に充填されるよう、その形成位置を遮水構造の高さ位置に対応させておく必要があるが、これについては、例えば廃棄物処分場を構築する際に行ったボーリング調査の計測結果を参考にするなどして、遮水構造の高さ位置を把握し、かかる計測結果を考慮しながら固化材吐出孔の形成位置や杭の打込み深さを決定することが考えられる。
【００２３】
固化材吐出孔から吐出された流動性固化材が廃棄物処分場の遮水構造と杭との間に生じている間隙に充填される限り、流動性固化材をどのように注入するかは任意であって、例えば杭の地上側開口から溢れ出るまで流動性固化材を注入するようにしてもかまわないし、流動性固化材の天端高さが廃棄物処分場の遮水構造の高さ位置よりも上方となるまで注入するようにしてもかまわない。かかる場合、流動性固化材を注入した後の上方空間についての後処理は任意であり、中空のまま放置しておくことも考えられる。
【００２４】
ここで、前記杭を打ち込んだ後、所定の充填材をその天端高さが前記遮水構造の高さ位置よりも下方となるように前記注入口から充填し、しかる後に前記流動性固化材を注入するように構成したならば、充填材を充填した量だけ流動性固化材が不要となるので、流動性固化材の注入量を節約することができる。
【００２５】
充填材としてどのような材料を用いるかは任意であるが、例えば、土砂、コンクリート、ソイルセメントなどを用いることが考えられる。
【００２６】
充填材をどのように充填するかは任意であるが、例えば、遮水構造の高さ位置と杭の打込み深さとから充填高さを求め、該充填高さに杭の中空断面積を乗ずることで充填材の充填量を予め計算し、かかる充填量に相当する充填材を充填するようにしてもよい。
【００２７】
ここで、流動性固化材を注入するにあたっては、流動性固化材が杭と遮水構造との間に生じている間隙に充填される限り、その注入方法や注入量は任意であるが、前記充填材を充填した後、注入用配管及び注入確認用配管が貫通接続された仕切り体をその設置高さが前記遮水構造の高さ位置よりも上方となるように前記杭内に挿入設置し、前記流動性固化材を、該流動性固化材が前記注入確認用配管から溢れ出るまで前記注入用配管を介して前記充填材の天端と前記仕切り体とに挟まれた前記杭内の注入空間に注入するように構成したならば、流動性固化材が注入空間及び遮水構造との間に生じている間隙に確実に注入されたことを確認することが可能となる。
【００２８】
すなわち、かかる構成によれば、予想外の大きな間隙が生じていた場合でも、該間隙に流動性固化材が確実に充填されたことを、計測を必要とすることなく容易に確認することができる。
【００２９】
仕切り体は、杭の中空空間を仕切ることができるのであればその構成は問わないが、例えば、杭の内径と同等の直径を有する円形鋼板に上述した注入用配管及び注入確認用配管を貫通するための孔を２つ開けて構成することが考えられる。
【００３０】
注入用配管及び注入確認用配管は、仕切り体の設置前又は設置後にそれぞれ挿入するようにしてもよいが、予め仕切り体に溶接等により固定してから仕切り体とともに杭内に挿入するようにしてもかまわない。
【００３１】
ここで、仕切り体の設置位置をどのように決定するかは任意であり、例えば、予め注入用配管を注入高さに相当する長さだけ仕切り体に貫通させた状態で固定しておき、かかる注入用配管の下端が充填材の天端に当接するに至った高さをもって仕切り体の設置位置とするようにしてもよいが、前記仕切り体の下面に前記注入空間の高さに相当する長さを有する位置決め用ロッドを垂設するように構成したならば、位置決め用ロッドの長さに応じて充填材の天端と仕切り体との間の注入高さが決定されるので、位置決め用ロッドの下端が充填材の天端に当接するまで仕切り体を挿入するだけで、仕切り体を遮水構造の高さ位置よりも上方の設置位置に容易に位置決めすることができる。
【００３２】
また、前記流動性固化材が固化する前に所定の空間占有体を前記固化材吐出孔との非接触状態が保持されるように前記杭の内部に配置するように構成したならば、該空間占有体によって排除される体積分だけ、流動性固化材が不要となる。そのため、例えば杭径が大きな場合において、流動性固化材の充填による上述した作用効果を享受しつつ、流動性固化材の注入量を大幅に節約することが可能となる。
【００３３】
空間占有体は、杭の内部に設置されたときに流動性固化材が注入される注入量を低減することができるのであればどのようなものでもかまわないし、中空であるか中実であるかも問わない。例えば、内部に流動性固化材が流入しないように上下端に蓋が取り付けられた所定長の中空鋼管で構成することが可能である。
【００３４】
空間占有体を設置するのは流動性固化材が固化する前であればよく、流動性固化材の注入前、注入中、注入後の何れで行ってもよい。なお、空間占有体を上述した仕切り体とともに用いる場合においては、空間占有体を設置してから該仕切り体を設置して流動性固化材を注入するのが望ましい。
【００３５】
また、前記流動性固化材を注入した後、前記杭の内部に注水するように構成したならば、水深に応じた静水圧が流動性固化材の天端に作用するので、遮水構造との間に生じている間隙への充填性を高めることができる。
【００３６】
注水は、例えば杭の地上側開口付近まで行ってもかまわないが、その注水深さは任意であり、流動性固化材に十分な水圧がかかるだけの水深が確保されていればよい。また、地下水位が高い場合には、これを利用することができることは言うまでもない。
【００３７】
【発明の実施の形態】
以下、本発明に係る廃棄物処分場における杭基礎構築方法の実施の形態について、添付図面を参照して説明する。なお、従来技術と実質的に同一の部品等については同一の符号を付してその説明を省略する。
【００３８】
（第１実施形態）
【００３９】
図１は第１実施形態に係る廃棄物処分場における杭基礎構築方法を示したフローチャート、図２はかかるフローチャートに従って杭基礎を構築する様子を示した施工手順図である。なお、本実施形態に係る廃棄物処分場１は図２(a)に示すように、不透水性地層からなる遮水構造３によって埋立空間２を周辺地盤である透水性地層４と離隔設置してなる。
【００４０】
本実施形態に係る廃棄物処分場１における杭基礎構築方法においては、まず、図２(b)に示すように、側方に固化材吐出孔６が形成された中空管からなる杭７を廃棄物処分場１に打ち込む(ステップ１０１)。このとき、杭７は廃棄物処分場１の底面に設けられた遮水構造３を貫通することとなり、遮水構造３と杭７との間に間隙８が生じる。なお、杭７を摩擦杭ではなく支持杭とするのであれば、同図に示すように杭７の下端を支持基盤５に到達させる。
【００４１】
杭７として用いる中空管は、同図に示すように先端を開放とした円形鋼管を用いることができる。
【００４２】
杭７の側方に形成すべき固化材吐出孔６は、その形成位置を遮水構造３の高さ位置に対応させておく必要があるが、これについては、例えば廃棄物処分場１を構築する際に行ったボーリング調査の計測結果を参考にするなどして、遮水構造３の高さ位置を把握し、かかる計測結果を考慮しながら固化材吐出孔６の形成位置や杭７の打込み深さを決定すればよい。
【００４３】
次に、図２(c)に示すように、所定の充填材９をその天端高さが遮水構造３の高さ位置よりも下方となるように杭７の地上側端部に設けられた注入口１０から充填する(ステップ１０２)。
【００４４】
充填材９は、例えば、土砂、ソイルセメントなどを用いるのが望ましい。
【００４５】
充填材９を充填するにあたっては、例えば、遮水構造３の高さ位置と杭７の打込み深さとから充填高さhaを求め、該充填高さhaに杭７の中空断面積を乗ずることで充填材９の充填量を予め計算し、かかる充填量に相当する充填材９を充填するようにすればよい。
【００４６】
次に、図２(d)に示すように、注入口１０から所定の流動性固化材１１を注入し、中空管である杭７の側方に形成された固化材吐出孔６から吐出させる(ステップ１０３)。
【００４７】
流動性固化材１１は、流動性を有しなおかつ固化することによって止水性を発揮するもの、例えば、セメントミルク、モルタル、ベントナイト等を用いることができる。
【００４８】
流動性固化材１１を注入する際は、その注入高さhbを、注入後の天端高さが遮水構造３の高さ位置よりも上方となるように適宜設定して注入する。流動性固化材１１を注入した後の上方の空間は、中空のまま放置しておけばよい。
【００４９】
流動性固化材１１を吐出させるための固化材吐出孔６は、数ｍｍ乃至数ｃｍ程度の円形孔が考えられるが、固化材吐出孔６から吐出された流動性固化材１１が遮水構造３と杭７との間に生じている間隙８に充填されるよう、流動性固化材１１の必要吐出量や流動性等を考慮して適宜大きさ、個数等を決めればよい。
【００５０】
図３は、本実施形態に係る廃棄物処分場１における杭基礎構築方法の作用を示した図であり、同図に示すように、中空管の地上側端部に設けられた注入口１０から注入された流動性固化材１１は、その自重と流動性により、固化材吐出孔６を通過して杭７の周囲に吐出される。そして、かかる流動性固化材１１は、杭７を打ち込む際に生じた遮水構造３との間の間隙８に充填され、やがて間隙８内で硬化し、これを塞ぐ。
【００５１】
以上説明したように、本実施形態に係る廃棄物処分場１における杭基礎構築方法によれば、杭７が廃棄物処分場１の遮水構造３を貫通するように打ち込まれ、それが原因で遮水構造３との間に間隙８が生じた場合であっても、かかる間隙８は、流動性固化材１１によって充填され、廃棄物処分場１の遮水機能はそのまま維持されることとなり、かくして、このような間隙８から廃棄物処分場１内の滲出水が外部に漏洩し、これが周辺地盤に拡散して環境を汚染するといった事態を未然に防止することが可能となる。
【００５２】
したがって、廃棄物処分場１の跡地に杭基礎構造物を新設することが可能となり、跡地の有効利用の適用が拡大する。
【００５３】
また、本実施形態に係る廃棄物処分場１における杭基礎構築方法によれば、所定の充填材９をその天端高さが遮水構造３の高さ位置よりも下方となるように注入口１０から充填するので、充填材９を充填した量だけ流動性固化材１１が不要となり、流動性固化材１１の注入量を節約することができる。
【００５４】
本実施形態では特に言及しなかったが、例えば杭径が大きな場合においては、図４(a)に示すように、流動性固化材１１が固化する前に所定の空間占有体２１を固化材吐出孔６との非接触状態が保持されるように杭７の内部に配置するようにしてもよい。
【００５５】
このように構成したならば、空間占有体２１によって排除される体積分だけ、流動性固化材１１が不要となるため、流動性固化材１１の充填による上述した作用効果を享受しつつ、流動性固化材１１の注入量をさらに節約することが可能となる。
【００５６】
空間占有体２１は、杭の内部に設置されたときに流動性固化材１１が注入される注入量を低減することができるのであればどのようなものでもかまわないし、中空であるか中実であるかも問わない。例えば、図４(a)に示すように内部に流動性固化材１１が流入しないように上下端に蓋が取り付けられた所定長の中空鋼管で構成することが可能である。
【００５７】
空間占有体２１を設置するのは流動性固化材１１が固化する前であればよく、流動性固化材１１の注入前、注入中、注入後の何れで行ってもよい。
【００５８】
また、本実施形態では流動性固化材１１を注入した後の上方の空間は中空のまま放置しておくようにしたが、図４(b)に示すように、流動性固化材１１を注入した後、杭７の内部に注水するようにしてもよい。
【００５９】
このように構成したならば、注水された水２２によって水深に応じた静水圧が流動性固化材１１の天端に作用するので、遮水構造３との間に生じている間隙８への充填性を高めることができる。
【００６０】
注水は、例えば杭の地上側開口付近まで行ってもかまわないが、その注水深さhcは任意であり、流動性固化材１１に十分な水圧がかかるだけの水深が確保されていればよい。また、地下水位が高い場合には、これを利用することができることは言うまでもない。
【００６１】
また、本実施形態では不透水性地層からなる遮水構造３に本発明を適用したが、これに代えて、軟質合成樹脂、ゴム等で形成された遮水性シートからなる遮水構造に本発明を適用してもよい。かかる場合においても上述の実施形態と同様の作用効果を奏する。
【００６２】
また、本実施形態では、杭７内に充填材９を充填することによって流動性固化材１１の使用量を節約するようにしたが、場合によっては充填材９を省略するようにしてもかまわない。
【００６３】
（第２実施形態）
【００６４】
第２実施形態に係る廃棄物処分場における杭基礎構築方法の実施の形態について、添付図面を参照して説明する。なお、第１実施形態と実質的に同一の部品等については同一の符号を付してその説明を省略する。
【００６５】
図５は第２実施形態に係る廃棄物処分場１における杭基礎構築方法を示したフローチャート、図６はかかるフローチャートに従って杭基礎を構築する様子を示した施工手順図である。
【００６６】
本実施形態に係る廃棄物処分場１における杭基礎構築方法においては、まず、上述した図２(b)と同様、側方に固化材吐出孔６が形成された中空管からなる杭７を廃棄物処分場１に打ち込み(ステップ２０１)、次いで、上述した図２(c)と同様、充填材９をその天端高さが遮水構造３の高さ位置よりも下方となるように杭７の地上側端部に設けられた注入口１０から充填する(ステップ２０２)。
【００６７】
充填材９を充填するにあたっては、第１実施形態と同様の手順で充填すればよい。
【００６８】
次に、図６(a)に示すように、注入用配管３１及び注入確認用配管３２が貫通接続された仕切り体３３をその設置高さが遮水構造３の高さ位置よりも上方となるように杭７内に挿入設置する(ステップ２０３)。
【００６９】
ここで、仕切り体３３は、図７に示すように、杭７の内径と同等の直径を有する円形鋼板に上述した注入用配管３１及び注入確認用配管３２を貫通するための孔を２つ開けて構成してあるとともに、下面に注入空間の高さhb(図６(a)参照)に相当する長さを有する位置決め用ロッド３４を垂設してある。したがって、仕切り体３３を挿入設置するにあたっては、位置決め用ロッド３４の下端が充填材９の天端に当接するまで該仕切り体を押し下げるようにすればよい。
【００７０】
なお、注入用配管３１及び注入確認用配管３２は、予め仕切り体３３に溶接等により固定しておき、仕切り体３３とともに杭７内に挿入することができる。
【００７１】
次に、図６(b)に示すように、流動性固化材１１を、該流動性固化材が注入確認用配管３２から溢れ出るまで注入用配管３１を介して充填材９の天端と仕切り体３３とに挟まれた杭７内の注入空間に注入する(ステップ２０４)。
【００７２】
このようにすると、第１実施形態と同様に、中空管の地上側端部に設けられた注入口１０から注入された流動性固化材１１は、その自重と流動性により、固化材吐出孔６を通過して杭７の周囲に吐出される。そして、かかる流動性固化材１１は、杭７を打ち込む際に生じた遮水構造３との間の間隙８に充填され、やがて間隙８内で硬化し、これを塞ぐ。
【００７３】
なお、流動性固化材１１の注入後は、位置決め用ロッド３４が垂設された仕切り体３３を注入用配管３１及び注入確認用配管３２とともに撤去してもよいし、そのまま放置するようにしてもよい。
【００７４】
以上説明したように、本実施形態に係る廃棄物処分場１における杭基礎構築方法によれば、杭７が廃棄物処分場１の遮水構造３を貫通するように打ち込まれ、それが原因で遮水構造３との間に間隙８が生じた場合であっても、かかる間隙８は、流動性固化材１１によって充填され、廃棄物処分場１の遮水機能はそのまま維持されることとなり、かくして、このような間隙８から廃棄物処分場１内の滲出水が外部に漏洩し、これが周辺地盤に拡散して環境を汚染するといった事態を未然に防止することが可能となる。
【００７５】
したがって、廃棄物処分場１の跡地に杭基礎構造物を新設することが可能となり、跡地の有効利用の適用が拡大する。
【００７６】
また、本実施形態に係る廃棄物処分場１における杭基礎構築方法によれば、所定の充填材９をその天端高さが遮水構造３の高さ位置よりも下方となるように注入口１０から充填するので、充填材９を充填した量だけ流動性固化材１１が不要となり、流動性固化材１１の注入量を節約することができる。
【００７７】
また、本実施形態に係る廃棄物処分場１における杭基礎構築方法によれば、上述した充填材９を充填した後、注入用配管及３１び注入確認用配管３２が貫通接続された仕切り体３３をその設置高さが遮水構造３の高さ位置よりも上方となるように杭７内に挿入設置し、流動性固化材１１を、該流動性固化材１１が注入確認用配管３２から溢れ出るまで注入用配管３１を介して充填材９の天端と仕切り体３３とに挟まれた杭７内の注入空間に注入するように構成したので、流動性固化材１１が注入空間及び遮水構造との間に生じている間隙８に確実に注入されたことを確認することが可能となる。
【００７８】
すなわち、かかる構成によれば、予想外の大きな間隙８が生じていた場合でも、該間隙８に流動性固化材１１が確実に充填されたことを計測を必要とすることなく容易に確認することができる。
【００７９】
また、本実施形態に係る廃棄物処分場１における杭基礎構築方法によれば、仕切り体３３の下面に注入空間の高さに相当する長さを有する位置決め用ロッド３４を垂設するように構成したので、位置決め用ロッド３４の長さに応じて充填材９の天端と仕切り体３３との間の注入高さhbが決定され、位置決め用ロッド３４の下端が充填材９の天端に当接するまで仕切り体３３を挿入するだけで、仕切り体３３を遮水構造３の高さ位置よりも上方の設置位置に容易に位置決めすることができる。
【００８０】
本実施形態では特に言及しなかったが、例えば杭径が大きな場合においては、図８(a)に示すように、流動性固化材１１が固化する前に所定の空間占有体４１を固化材吐出孔６との非接触状態が保持されるように杭７の内部に配置するようにしてもよい。
【００８１】
このように構成したならば、第１実施形態と同様、空間占有体４１によって排除される体積分だけ、流動性固化材１１が不要となるため、流動性固化材１１の充填による上述した作用効果を享受しつつ、流動性固化材１１の注入量をさらに節約することが可能となる。
【００８２】
なお、空間占有体４１を仕切り体３３とともに用いるにあたっては、空間占有体４１を設置してから仕切り体３３を設置してこれを空間占有体４１の上蓋とし、しかる後に流動性固化材１１を注入するのが望ましい。
【００８３】
このとき、空間占有体４１の高さを充填材９の天端と仕切り体３３との間の注入空間の高さに相当するように構成したならば、注入高さhbは空間占有体４１によって決まることとなり、位置決め用ロッド３４を省略することが可能となる。
【００８４】
また、本実施形態では流動性固化材１１を注入した後の上方の空間は中空のまま放置しておくようにしたが、図８(b)に示すように、流動性固化材１１を注入した後、仕切り体３３を注入用配管３１及び注入確認用配管３２とともに取り除き、杭７の内部に注水するようにしてもよい。
【００８５】
このように構成したならば、第１実施形態と同様、注水された水２２によって水深に応じた静水圧が流動性固化材１１の天端に作用するので、遮水構造３との間に生じている間隙８への充填性を高めることができる。
【００８６】
なお、同図に示すように、空間占有体４１が中空体の場合においては、かかる中空部にも注水することにより、空間占有体４１に生じる浮力を低減することができる。
【００８７】
また、本実施形態では不透水性地層からなる遮水構造３を本発明に適用したが、これに代えて、軟質合成樹脂、ゴム等で形成された遮水性シートからなる遮水構造に本発明を適用してもよい。かかる場合においても上述の実施形態と同様の作用効果を奏する。
【００８８】
また、本実施形態では、位置決め用ロッド３４を設けることによって仕切り体３３の位置決めが容易になるように構成したが、他の方法で仕切り体３３の設置高さを位置決めすることができるのであれば、位置決め用ロッドを省略してもかまわない。
【００８９】
【発明の効果】
以上述べたように、本発明に係る廃棄物処分場における杭基礎構築方法によれば、杭が廃棄物処分場の遮水構造を貫通するように打ち込まれ、それが原因で該遮水構造との間に間隙が生じた場合であっても、かかる間隙は、流動性固化材によって充填され、廃棄物処分場の遮水機能はそのまま維持されることとなり、かくして、このような間隙から廃棄物処分場内の滲出水が外部に漏洩し、これが周辺地盤に拡散して環境を汚染するといった事態を未然に防止することが可能となる。
【００９０】
【図面の簡単な説明】
【図１】第１実施形態に係る廃棄物処分場における杭基礎構築方法を示したフローチャート。
【図２】第１実施形態に係る廃棄物処分場における杭基礎構築方法を示した施工手順図。
【図３】第１実施形態に係る廃棄物処分場における杭基礎構築方法の作用を示した図。
【図４】第１実施形態の変形例に係る廃棄物処分場における杭基礎構築方法を示した図。
【図５】第２実施形態に係る廃棄物処分場における杭基礎構築方法を示したフローチャート。
【図６】第２実施形態に係る廃棄物処分場における杭基礎構築方法を示した施工手順図。
【図７】第２実施形態に係る廃棄物処分場における杭基礎構築方法の仕切り体を示した斜視図。
【図８】第２実施形態の変形例に係る廃棄物処分場における杭基礎構築方法を示した図。
【符号の説明】
１                          廃棄物処分場
３                          遮水構造
６                          固化材吐出孔
７                          杭
９                          充填材
１０                        注入口
１１                        流動性固化材
２１、４１                  空間占有体
３１                        注入用配管
３２                        注入確認用配管
３３                        仕切り体
３４                        位置決め用ロッド
【図１】
0003835516.tif 000002
【図２】
0003835516.tif 000003
【図３】
0003835516.tif 000004
【図４】
0003835516.tif 000005
【図５】
0003835516.tif 000006
【図６】
0003835516.tif 000007
【図７】
0003835516.tif 000008
【図８】
0003835516.tif 000009